(57)【特許請求の範囲】
【請求項１】
来訪者が呼出操作して通話するためのインターホン子機と、前記インターホン子機からの呼び出しを報音して応答するためのインターホン親機とから成るインターホン装置の前記インターホン親機に設けられた増設スピーカ端子に接続して使用されるインターホン増設チャイムであって、
呼出信号の入力を受けて呼出音を鳴動させる呼出制御部と、鳴動する報音部とを有し、
前記呼出制御部は、１つの呼出信号に対する最長呼出時間或いは最大呼出回数が設定されており、前記最長呼出時間或いは前記最大呼出回数に至るまでは、入力された前記呼出信号の継続時間に連動させて呼出音の鳴動を継続させると共に、
呼出信号の入力が途切れても特定の時間内に次の呼出信号が入力された場合は、呼び出し継続中と判定して呼出制御を継続して実施し、新たな呼出音の鳴動を行わないことを特徴とするインターホン増設チャイム。
【請求項２】
インターホン親機に接続される送信機と、当該送信機から無線送信される信号を受けて鳴動する受信機とで構成され、前記呼出制御部は前記送信機に配置されて成ることを特徴とする請求項１記載のインターホン増設チャイム。
【発明の詳細な説明】
【技術分野】
【０００１】
本発明はインターホンに関し、特に子機の呼出操作に対して親機で鳴動する呼出音が聞こえ難い場所に設置され、別途呼出音を鳴動させて子機からの呼び出しを報知させるインターホン増設チャイムに関する。
【背景技術】
【０００２】
従来より、インターホンの親機には増設スピーカや増設チャイム等の増設機器を接続するための増設スピーカ端子（或いは増設チャイム端子）が設けられ、親機の呼出音が聞こえ難い場所に増設スピーカ或いは増設チャイムを設置して子機からの呼び出しを認識し易くできた（例えば、特許文献１参照）。
【先行技術文献】
【特許文献】
【０００３】
【特許文献１】特開平１１−２７５２４１号公報
【発明の概要】
【発明が解決しようとする課題】
【０００４】
上記従来の増設スピーカには連続鳴動型やオートストップ型があるが、連続鳴動型は入力信号が継続し続ける間チャイムも鳴動し続けた。例えば、１０秒に１回「ピンポン」と鳴動する設定の場合、信号の出力が６０秒継続したら６回「ピンポン」が鳴動した。
一方、オートストップ型は、入力信号が長時間継続しても一定時間でチャイムの鳴動を停止した。しかしながら、入力信号が途切れて新たな入力信号が発生するとチャイムが鳴動するため、連続鳴動型と同様に煩く感じる場合があった。
更に、増設チャイムが無線式で電池駆動の場合、頻繁に鳴動すると電池寿命が短くなってしまう問題も発生した。
【０００５】
そこで、本発明はこのような問題点に鑑み、インターホン機器の増設スピーカ端子から出力される呼出信号が途切れても、一定時間内に再出力があった場合は新たな呼び出し動作を実施せず、鳴動回数の削減を図ったインターホン増設チャイムを提供することを目的としている。
【課題を解決するための手段】
【０００６】
上記課題を解決する為に、請求項１の発明は、来訪者が呼出操作して通話するためのインターホン子機と、インターホン子機からの呼び出しを報音して応答するためのインターホン親機とから成るインターホン装置のインターホン親機に設けられた増設スピーカ端子に接続して使用されるインターホン増設チャイムであって、呼出信号の入力を受けて呼出音を鳴動させる呼出制御部と、鳴動する報音部とを有し、呼出制御部は、１つの呼出信号に対する最長呼出時間或いは最大呼出回数が設定されており、最長呼出時間或いは最大呼出回数に至るまでは、入力された呼出信号の継続時間に連動させて呼出音の鳴動を継続させると共に、呼出信号の入力が途切れても特定の時間内に次の呼出信号が入力された場合は、呼び出し継続中と判定して呼出制御を継続して実施し、新たな呼出音の鳴動を行わないことを特徴とする。
この構成によれば、呼出信号が途切れても、一定時間内に再び呼出信号が入力された場合は呼出信号は継続していると判断するため、呼び出しがリセットされて新たな呼び出しが開始されることが無い。よって、頻繁に呼出音が鳴動する状態を防止できる。
【０００７】
また、増設チャイムに入力される呼出信号の継続時間が長くても、一定時間或いは一定回数で鳴動動作は終了するため、呼出信号を長時間受信しても呼出音を鳴動し続けることが無く、電力消費量を抑制できる。
【０００８】
請求項２の発明は、請求項１に記載の構成において、インターホン親機に接続される送信機と、当該送信機から無線送信される信号を受けて鳴動する受信機とで構成され、呼出制御部は送信機に配置されて成ることを特徴とする。
この構成によれば、増設チャイムの鳴動を無線制御とすることで、容易に設置位置を変更でき利便性が良いし、呼出制御部に対してはインターホン親機から電力を供給できるため、受信機の電源に電池を使用しても消費電力を抑制できる。
【発明の効果】
【０００９】
本発明によれば、呼出信号が途切れても、一定時間内に再び呼出信号が入力されたら、呼出信号は継続していると判断するため、呼び出しがリセットされて新たな呼び出しが開始されることが無く、頻繁に呼出音が鳴動する状態を防止できる。
【図面の簡単な説明】
【００１０】
【図１】本発明に係るインターホン増設チャイムをインターホン装置に接続した構成図である。
【図２】インターホン親機と増設チャイムとの接続図である。
【図３】増設チャイムの動作を示す信号のタイムチャートである。
【図４】増設チャイムの他の形態を示し、無線式増設チャイムとインターホン親機との接続図である。
【発明を実施するための形態】
【００１１】
以下、本発明を具体化した実施の形態を、図面を参照して詳細に説明する。図１は本発明に係るインターホン増設チャイムをインターホン装置に接続した構成図であり、１は玄関等の宅外に設置されて来訪者が居住者を呼び出すためのインターホン子機、２は宅内に設置されてインターホン子機１からの呼び出しに応答するためのインターホン親機、３はインターホン親機２の鳴動動作に連動して呼出音が鳴動する増設チャイムである。尚、増設チャイム３は呼出音を報音する増設スピーカを含むものである。
【００１２】
インターホン子機１とインターホン親機２とは伝送線Ｌ１を介して接続され、インターホン親機２と増設チャイム３とは伝送線Ｌ２を介して接続されている。
【００１３】
インターホン子機１は、呼出ボタン１１、通話するためのマイク１２及びスピーカ１３、来訪者を撮像するためのカメラ１４を備えている。一方インターホン親機２は、呼び出しに応答するための通話ボタン２１、通話するためのマイク２２及びスピーカ２３、カメラ１４の撮像映像を表示するモニタ２４、各種操作を行う操作部２５を備え、側部に増設チャイム３を接続する接続端子（図示せず）を有している。
【００１４】
図２はインターホン親機２と増設チャイム３との接続形態を示し、この図２に示すように、増設チャイム３は呼出音の生成制御を行う呼出制御部としての増設チャイムＣＰＵ３１、呼出音を鳴動する報音部としてのスピーカ３２を内部に備え、スピーカ入力端子３３、移報入力端子３４を備えている。
【００１５】
また図２に示すように、インターホン親機２に設けられた増設スピーカ端子としてのスピーカ出力端子２７と、増設チャイム３のスピーカ入力端子３３とが２線から成る伝送線Ｌ２で接続されている。尚、インターホン親機２のスピーカ出力端子２７とは異なる信号形態で呼出信号を出力する代表移報出力端子２８に対して増設チャイム３の移報入力端子３４を接続することでも増設チャイム３の鳴動制御は可能である。
【００１６】
このように接続された増設チャイム３の動作を以下説明する。インターホン子機１が呼出操作されると、呼出信号がインターホン親機２に伝送され、インターホン親機２で呼出音が鳴動する。このときの呼出形態はインターホン親機２で設定され、予め定められた回数（例えば、ピンポン音を一定時間をおいて２回）或いは定められた時間に亘り呼出音を鳴動する場合と、応答するまで長時間呼び出しを継続させる無限呼出がある。
一方増設チャイム３は、例えば予め定められた回数（例えば６０秒間に３回）呼出動作するが、それ以上の呼出信号の入力を継続して受けても呼出動作は継続しないよう設定されている。即ち、インターホン親機２から出力される呼出信号が長期間継続しても呼出動作は一定時間で終了するよう設定されている。この設定により、一定時間以上継続して呼出動作が行われることはない。
【００１７】
図３は、インターホン親機２から増設チャイム３に入力される呼出信号と、増設チャイム３の動作の関係を具体的に示したタイミングチャートであり、この図３を参照して説明する。図３において、（ａ）は単発で呼出信号が入力された場合、（ｂ）は呼出信号が短い間隔を開けて入力された場合、（ｃ）は呼出信号が比較的長い間隔を開けて入力された場合の動作を示している。
【００１８】
増設チャイムＣＰＵ３１は、インターホン子機１の呼出操作を受けてインターホン親機２から呼出信号の入力があると、その時点で先ず１回目の呼出音をＴ１時間（例えば、ピンポン音を５秒）鳴動させると共に、呼出音入力の監視を開始する。そして、呼出信号が３０秒後も継続して入力されたら２回目の呼出音を鳴動し、更に６０秒後も呼出信号が継続していたら３回目の呼出音を鳴動（図示せず）し、この３回で呼出信号がさらに継続して入力されても増設チャイム３の呼出動作は終了する。
【００１９】
また、呼出信号の入力を受けて１回目の呼出音を鳴動させた後、呼出信号の入力が停止しても一定時間Ｔ３(例えば、５秒間）まで監視を行い、図３（ｂ）に示すＴ３時間に満たないＹ秒の間に呼出信号の再入力があったら呼出信号は継続していると判断する。そのため、その監視期間に２回目の呼出信号の入力があっても新たな呼び出しと判定することは無く、１回の呼び出しが継続中と判定し、１回目の呼出音の鳴動から３０秒経過しなければ２回目の鳴動を実施しない。
【００２０】
一方、図３（ｃ）のＸ秒に示すように、監視期間のＴ３時間を過ぎた後で呼出信号が入力されると、増設チャイムＣＰＵ３１は新たな呼び出しであると判断し、呼出動作してからの経過時間Ｔ２が３０秒に満たなくても、呼び出しをリセットして１回目の呼出音の鳴動を開始させる。その後は上記と同様の動作となる。
【００２１】
このように、呼出信号が途切れても、一定時間Ｔ３内に再び呼出信号が入力されたら、呼出信号は継続していると判断するため、呼び出しがリセットされて新たな呼び出しが開始されることが無く、頻繁に呼出音が鳴動する状態を防止できる。
また、増設チャイム３に入力される呼出信号の継続時間が長くても、一定回数（或いは一定時間）で鳴動動作は終了するため、呼出信号を長時間受信しても呼出音を鳴動し続けることが無く、入力信号の形態に依らず呼出音が騒音となるような事態を防ぐことができ、電力消費量も抑制できる。
【００２２】
図４は増設チャイム３が送信機３ａと受信機３ｂとで構成されている場合を示している。送信機３ａは増設チャイムＣＰＵ３１に加えて送信部３５を有し、受信機３ｂはスピーカ３２に加えて受信部３６を有している。送信機３ａはインターホン親機２と有線接続或いは直接接続され、送信機３ａと受信機３ｂの間は無線通信が実施される。
インターホン親機２が出力する呼出信号は送信機３ａに入力され、増設チャイムＣＰＵ３１の制御で生成された呼出信号が受信機３ｂに無線送信され、受信機３ｂにおいて呼出音が鳴動する。尚、増設チャイムＣＰＵ３１の呼出音生成制御は上記形態と同様であるため説明を省略する。
【００２３】
このように、増設チャイム３の鳴動を無線制御としても、増設チャイムＣＰＵ３１に対してはインターホン親機２から電力を供給できるため、受信機３ｂの電源を電池としても、省電力で駆動できる。また、増設チャイム３の鳴動を無線とすることで、容易に設置位置を変更でき利便性が良い。
【００２４】
尚、上記実施形態では、連続呼出時の呼出回数を３回（全体の呼出時間を６０秒）に制限したがこれに限らず、２回や４回、５回としても良い。
【符号の説明】
【００２５】
１・・インターホン子機、２・・インターホン親機、３・・増設チャイム、３ａ・・送信機。３ｂ・・受信機、２７・・スピーカ出力端子（増設スピーカ端子）、３１・・増設チャイムＣＰＵ（呼出制御部）、３２・・スピーカ（報音部）、３５・・送信部、３６・・受信部。
【図１】
0006349266.tif 000002
【図２】
0006349266.tif 000003
【図３】
0006349266.tif 000004
【図４】
0006349266.tif 000005